(57)【要約】【課題】割ナットの径方向への開きを防止すること。【解決手段】略半円環状で円心側に第１のねじ切り部４を有する第１の枠体２と、略半円環状で円心側に第２のねじ切り部５を有する第２の枠体３とを嵌合することで、ボルト側に螺合装着が可能なナットねじ切り部６が成立する割りナット１であって、この割りナット１は鉛直方向に貫通する第１の空洞部７を有し、第１の枠体２と第２の枠体３とを円心軸方向に嵌合することで着脱可能、かつ径方向に着脱不能な構成とした割りナット１としたものであり、ボルト側に螺合したときに、ねじ締付け反力による割ナットの径方向への開きを防止することができる。【選択図】図１
2020037953.tif 000002
【特許請求の範囲】
【請求項１】
略半円環状で円心側に第１のねじ切り部を有する第１の枠体と、
略半円環状で円心側に第２のねじ切り部を有する第２の枠体とを嵌合することで、
ボルト側に螺合装着が可能なナットねじ切り部が成立する割りナットであって、
この割りナットは円心軸方向に貫通する第１の空洞部を有し、
前記第１の枠体と第２の枠体とを略円心軸方向に嵌合することで着脱可能、かつ径方向に着脱不能な構成とした割りナット。
【請求項２】
前記第１の枠体の先端は、嵌合部とこの嵌合部より細い首部とを有し、
前記第２の枠体の先端は、前記嵌合部と嵌合する嵌合溝と前記首部が収まる首嵌合溝とを有する、請求項１記載の割りナット。
【請求項３】
略半円環状の第１の頭部と前記第１の頭部の円心軸方向に延びる第３のねじ切り部を有する第３の枠体と、
略半円環状の第２の頭部と前記第２の頭部の円心軸方向に延びる第４のねじ切り部を有する第４の枠体とを嵌合することで、
ナット側に螺合装着が可能なボルトねじ切り部が成立する割りボルトであって、
この割りボルトは円心軸方向に貫通する第２の空洞部を有し、
一方の枠体の頭部の先端には、他方の枠体の頭部の合致面を覆う庇部を設けた割りボルト。
【請求項４】
前記第３の枠体または前記第４の枠体の合わせ面に凸部を設け、対応する前記第３の枠体または前記第４の枠体の合わせ面に前記凸部が嵌合する凹部を設けて前記第３の枠体と前記第４の枠体とが嵌合する構成とした、請求項３記載の割りボルト。
【請求項５】
請求項１または２の割りナットと前記請求項３または４の割りボルトとを螺合装着することで成立するボルトナット構造。
【請求項６】
壁や台の穴に配管が通されている配管構造において、前記配管の両端から前記第３の枠体と前記第４の枠体とを嵌合させて前記穴に割りボルトを挿入し、前記割りボルトを挿入した前記壁や台の反対面側で前記配管の両端から前記第１の枠体と前記第２の枠体とを嵌合させ、前記割りボルトを挿入した前記割りボルトの前記ボルトねじ切り部に前記割りナットの前記ナットねじ切り部を螺合装着させる、請求項５記載のボルトナット構造による配管保護方法。
【請求項７】
壁や台の穴に配管が通されている配管構造において、前記配管の両端から第３の枠体と第４の枠体とを嵌合させて前記穴に割りボルトを挿入し、前記割りボルトを挿入した前記壁や台の反対面側で前記配管の両端から第１の枠体と第２の枠体とを嵌合させ、前記割りボルトを挿入した前記割りボルトのボルトねじ切り部に、前記第１の枠体と前記第２の枠体とを嵌合させた割りナットのナットねじ切り部を螺合装着させる、ボルトナット構造による配管保護方法。
【発明の詳細な説明】
【技術分野】
【０００１】
本発明は壁や台のパネルに設けた貫通穴を保護する割りナット及び割りボルト及びこれらを利用したボルトナット構造および配管保護方法に関する。
【背景技術】
【０００２】
従来のこの種の壁や台のパネルに設けた貫通穴を保護する部材として、グロメットを用いている。２分割構成のグロメットはグロメットに押し込み力を加えると、リブ用穴に嵌入したリブが本体部を外方に開こうとする作用力を分散して、押し込み力をブロックし、グロメットの本体部が外方に開かなくなり、グロメットの固定作業性が向上するものが開示されている。
【先行技術文献】
【特許文献】
【０００３】
【特許文献１】特開平０７−６５６６１号公報
【発明の概要】
【発明が解決しようとする課題】
【０００４】
しかしながら、このようなグロメットは２分割した枠体を嵌合させて一体化したものであり、枠体の外径寸法はほぼ一定の構成であって、この一体化した枠体を壁や台のパネルに設けた貫通穴に挿入して保持するものであり、貫通穴形状や穴径が異なれば、パネルに固定して保持することができないという課題があった。
【０００５】
また、係止爪を設けてパネルに嵌合させる構成のものでは、貫通穴形状や穴径に加えてパネルの厚みが異なれば、係止爪での固定ができないという課題があった。
【０００６】
本発明は以上のような従来の欠点に鑑み、壁や台のパネルに設けた貫通穴に挿入したボルト側に螺合装着可能とし、その貫通穴形状や穴径、さらにパネルの厚みが多少異なっていてもボルト側に螺合させることで、パネルに対して確実に固定することができる割りナットを提供することを目的としたものである。
【０００７】
さらに、ナットに螺合装着可能とし、壁や台のパネルに設けた貫通穴形状や穴径、さらにパネルの多少厚みが異なっていてもナットに螺合させることで、パネルに対して確実に固定することができる割りボルトを提供することを目的としたものである。
【０００８】
さらに、上記の割りボルトや割りナットを利用したボルトナット構造を提供することを目的としたものである。
【０００９】
さらに、割りボルトや割りナットを利用したボルトナット構造による配管保護方法を提供することを目的としたものである。
【課題を解決するための手段】
【００１０】
上記目的を達成するために、本発明の割りナットは、略半円環状で円心側に第１のねじ切り部を有する第１の枠体と、略半円環状で円心側に第２のねじ切り部を有する第２の枠体とを嵌合することで、ボルト側に螺合装着が可能なナットねじ切り部が成立する割りナットであって、この割りナットは円心軸方向に貫通する第１の空洞部を有し、前記第１の枠体と第２の枠体とを略円心軸方向に嵌合することで着脱可能、かつ径方向に着脱不能な
構成としたものである。
【００１１】
また上記目的を達成するために、本発明の割りボルトは、略半円環状の第１の頭部と前記第１の頭部の円心軸方向に延びる第３のねじ切り部を有する第３の枠体と、略半円環状の第２の頭部と前記第２の頭部の円心軸方向に延びる第４のねじ切り部を有する第４の枠体とを嵌合することで、ナット側に螺合装着が可能なボルトねじ切り部が成立する割りボルトであって、この割りボルトは円心軸方向に貫通する第２の空洞部を有し、一方の枠体の頭部の先端には、他方の枠体の頭部の合致面を覆う庇部を設けたものである。
【００１２】
また上記目的を達成するために、本発明の配管保護方法は、壁や台の穴に配管が通されている配管構造において、前記配管の両端から第３の枠体と第４の枠体とを嵌合させて前記穴に割りボルトを挿入し、前記割りボルトを挿入した前記壁や台の反対面側で前記配管の両端から第１の枠体と第２の枠体とを嵌合させ、前記割りボルトを挿入した前記割りボルトのボルトねじ切り部に、前記第１の枠体と前記第２の枠体とを嵌合させた割りナットのナットねじ切り部を螺合装着させる、ボルトナット構造による配管保護方法としたものである。
【発明の効果】
【００１３】
本発明の割りナットは、割りボルトを螺合したときに、径方向に着脱不能とすることで、ねじ締付け反力による割ナットの径方向への開きを極力防止することができる。
【００１４】
本発明の割りボルトは、水廻りに割りボルトを配置したときに割りボルトどうしの合わせ面に隙間が生じてもその隙間から水が浸入することを極力防止できる。
【００１５】
本発明の配管保護方法は、壁や台等に設けた貫通穴形状や穴径、さらにパネルの厚みが異なっていても、割りナットと割りボルトとを螺合させることで、壁や台等あるいはそのパネルに対して確実に固定することが可能となる。
【図面の簡単な説明】
【００１６】
【図１】本発明の割りナットと割りボルトの分解斜視図
【図２】本発明の割りナットと割りボルトを配管に装着した状態の外観斜視図
【図３】本発明の割りボルトの分解斜視図
【図４】本発明の割りナットと割りボルトが使用された状態の一例を示す周辺図
【発明を実施するための形態】
【００１７】
第１の発明は、略半円環状で円心側に第１のねじ切り部を有する第１の枠体と、略半円環状で円心側に第２のねじ切り部を有する第２の枠体とを嵌合することで、ボルト側に螺合装着が可能なナットねじ切り部が成立する割りナットであって、この割りナットは円心軸方向に貫通する第１の空洞部を有し、前記第１の枠体と第２の枠体とを略円心軸方向に嵌合することで着脱可能、かつ径方向に着脱不能な構成とした割りナットであり、ねじ切り部に割りナットを螺合したときに、径方向に着脱不能とすることで、ねじ締付け反力による割ナットの径方向への開きを防止することができる。また、ボルト側に割りナットを螺合装着可能としていることで、壁や台等やそのパネルに設けた貫通穴形状や穴径、さらに壁や台等やそのパネルの厚みが異なっていても割りナットと割りボルトとを螺合させることで、壁や台等やそのパネルに対して確実に固定することが可能となる。
【００１８】
第２の発明は、第１の発明において、前記第１の枠体の先端は、嵌合部とこの嵌合部より細い首部とを有し、前記第２の枠体の先端は、前記嵌合部と嵌合する嵌合溝と前記首部が収まる首嵌合溝とを有するものであり、前記第１の枠体と第２の枠体とを略円心軸方向に嵌合することで着脱可能とすることができるとともに、割りナットを割りボルトを螺合
したときに、ねじ締付け反力による割ナットの径方向への開きを極力防止することができる。
【００１９】
第３の発明は、略半円環状の第１の頭部と前記第１の頭部の円心軸方向に延びる第３のねじ切り部を有する第３の枠体と、略半円環状の第２の頭部と前記第２の頭部の円心軸方向に延びる第４のねじ切り部を有する第４の枠体とを嵌合することで、ナット側に螺合装着が可能なボルトねじ切り部が成立する割りボルトであって、この割りボルトは円心軸方向に貫通する第２の空洞部を有し、一方の枠体の頭部の先端には、他方の枠体の頭部の合致面を覆う庇部を設けた割りボルトであり、例えば第３の枠体および第４の枠体を樹脂成形品で構成すると、樹脂成形品の成形歪やそりが生じたときに、割りボルトどうしの合わせ面に隙間が生じて外観を損ねたり、水廻りに割りボルトを配置したときにその隙間から水が浸入することを極力防止することができる。
【００２０】
第４の発明は、第３の発明において、前記第３の枠体または前記第４の枠体の合わせ面に凸部を設け、対応する前記第３の枠体または前記第４の枠体の合せ面に前記凸部が嵌合する凹部を設けて前記第３の枠体と前記第４の枠体とが嵌合する構成としたものであり、第３の枠体と第４の枠体とを嵌め合わせるときに、上下左右の位置決めを容易にすることができる。
【００２１】
第５の発明は、上記第１または第２の発明の割りナットと上記第３または第４の発明の割りボルトとを螺合装着することで成立するボルトナット構造としたものであり、壁や台等やそのパネルに設けた貫通穴形状や穴径、さらに壁や台等やそのパネルの厚みが異なっていても割りナットと割りボルトとを螺合させることで、壁や台等やそのパネルに対して確実に固定することが可能となる。
【００２２】
第６の発明は、第５の発明において、壁や台の穴に配管が通されている配管構造において、前記配管の両端から前記第３の枠体と前記第４の枠体とを嵌合させて前記穴に割りボルトを挿入し、前記割りボルトを挿入した前記壁や台の反対面側で前記配管の両端から前記第１の枠体と前記第２の枠体とを嵌合させ、前記割りボルトを挿入した前記割りボルトの前記ボルトねじ切り部に前記割りナットの前記ナットねじ切り部を螺合装着させるボルトナット構造による配管保護方法であり、壁や台等の配管への割りボルトと割りナットの取り付けや取り外しが容易にでき、壁や台等やそのパネルに設けた貫通穴形状や穴径、さらにパネルの厚みが異なっていても、割りナットと割りボルトとを螺合させることで、壁や台等あるいはそのパネルに対して確実に固定することが可能となる。
【００２３】
第７の発明は、壁や台の穴に配管が通されている配管構造において、前記配管の両端から第３の枠体と第４の枠体とを嵌合させて前記穴に割りボルトを挿入し、前記割りボルトを挿入した前記壁や台の反対面側で前記配管の両端から第１の枠体と第２の枠体とを嵌合させ、前記割りボルトを挿入した前記割りボルトのボルトねじ切り部に、前記第１の枠体と前記第２の枠体とを嵌合させた割りナットのナットねじ切り部を螺合装着させる、ボルトナット構造による配管保護方法であり、壁や台等の配管への割りボルトと割りナットの取り付けや取り外しが容易にでき、壁や台等やそのパネルに設けた貫通穴形状や穴径、さらにパネルの厚みが異なっていても、割りナットと割りボルトとを螺合させることで、壁や台等あるいはそのパネルに対して確実に固定することが可能となる。
【００２４】
以下、本発明の実施の形態について、図面を参照しながら説明する。なお、同じ構成のものは同一符号を付して説明を省略する。また、この実施の形態によって本発明が限定されるものではない。
【００２５】
（実施の形態１）
図１は本発明の実施の形態１における割りボルトと割りナットの分解斜視図である。図１において、割りナット１は略半円環状の第１の枠体２と略半円環状の第２の枠体３で構成されている。第１の枠体２は略半円環状の円心側に第１のねじ切り部４を有し、第２の枠体３は略半円環状の円心側に第２のねじ切り部５を有している。また、この割りナット１は略円環状の円心軸方向に貫通する第１の空洞部７を有している。
【００２６】
第１の枠体２の略半円環状の分割面である先端に、凸状に突出した嵌合部８と嵌合部８より細い首部９を有している。第２の枠体３の略半円環状の分割面である先端に、凹状にへこんだ嵌合溝１０と第１の枠体２の首部９が収まる首嵌合溝１１および嵌合部８を受ける受け部１１ｂを有している。
【００２７】
以上のように構成された第１の枠体２と第２の枠体３について、第１の枠体２と第２の枠体３とは、第１の枠体２の嵌合部８と第２の枠体３の嵌合溝１０を略円心軸方向（図１の略上下方向）に嵌合することが可能となる。すなわち、第１の枠体２の嵌合部８と第２の枠体３の嵌合溝１０とを略円心軸方向に対向する位置にあらかじめ配置させたうえで、嵌合部８を嵌合溝１０へと嵌合させる（または嵌合溝１０を嵌合部８への嵌合させる）。嵌合部８と嵌合溝１０とを嵌合させたうえで、嵌合部８を受け部１１ｂにて受けさせて規制する。これにより、ナットねじ切り部６が構成され、割りナット１のナットねじ切り部６を確実にらせん状につなぐことができる。
【００２８】
嵌合させる場合とは逆に嵌合させた第１の枠体２と第２の枠体３とを取り外す場合には、第１の枠体２の嵌合部８と第２の枠体３の嵌合溝１０とを嵌合させるときの略円心軸方向とは逆向きの略円心軸方向に離脱する方向へと力を加えることで取り外すことが可能となる。すなわち、第１の枠体２と第２の枠体３とは略円心軸方向に着脱することが可能となっている。
【００２９】
また、第１の枠体２と第２の枠体３とが嵌合している状態においては、嵌合部８は第２の枠体３の首嵌合溝１１に規制されることにより、第１の枠体２と第２の枠体３とが径方向に移動することを不可能としている。すなわち、第１の枠体２と第２の枠体３とが径方向に着脱することが不能となっている。
【００３０】
図２は本発明の同実施の形態１における割りボルトと割りナットを配管に取り付けた状態の外観斜視図である。図２において、嵌合部８と嵌合溝１０とを嵌合させたうえで、嵌合部８を受け部１１ｂにて受けさせて第１の枠体２と第２の枠体３による割りナット１を構成している状態を示している。
【００３１】
また図１において、割りボルト１２は、第３の枠体１３と第４の枠体１４で構成されている。第３の枠体１３は略半円環状の第１の頭部１５ａと第１の頭部１５ａから円心軸方向に延びる第３のねじ切り部１６を有し、第４の枠体１４は略半円環状の第２の頭部１５ｂと第２の頭部１５ｂから円心軸上に延びる第４のねじ切り部１７を有している。また、この割りボルト１２は、略円環状の円心軸方向に貫通する第２の空洞部１９を有している。
【００３２】
さらに、第１の頭部１５ａの一方の先端には庇部２１を設け、第２の頭部１５ｂの一方の端面には庇部２１に覆われる合致面２０を設けている。なお、第１の頭部１５ａの他方の端面にも同じく合致面２０を設け、第２の頭部１５ｂの他方の先端にも合致面２０を覆う庇部２１を設けてもよい。
【００３３】
また図２において、第３の枠体１３と第４の枠体１４とを合わせることによって、第３の枠体１３の第１の頭部１５ａの庇部２１が第４の枠体１４の第２の頭部１５ｂの合致面
２０を覆うように構成されている。
【００３４】
以上の構成により、一方の枠体の庇部が他方の枠体の合致面を覆うので、割りボルト１２を樹脂成形品等で構成した場合に、樹脂成形品の成形歪やそりが生じたときに割りボルト１２の頭部近傍の合わせ面に隙間が生じて外観を損ねたり、台所や水廻りに割りボルト１２を配置したときに隙間から水が浸入することを極力防止することができる。
【００３５】
図３は本発明の同実施の形態１における割りボルトの分解斜視図である。図３において、割りボルト１２における第４の枠体１４の一方の合わせ面に複数の凸部２８を設け、対応する第３の枠体１３の合わせ面にこの凸部２８が嵌合する複数の凹部２９（図示無し）を設けている。さらに、第３の枠体１３の他方の合わせ面に複数の凸部２８（図示無し）を設け、対応する第４の枠体１４の合わせ面にこの凸部２８（図示無し）が嵌合する複数の凹部２９を設けている。
【００３６】
それぞれの枠体におけるそれぞれの凸部と凹部を嵌合させることで、割りボルト１２の第３のねじ切り部１６と第４のねじ切り部１７とを、上下左右で位置関係を合致させることが可能となり、割りボルト１２のボルトねじ切り部１８を確実にらせん状につなぐことができる。
【００３７】
なお、第４の枠体１４の複数の凸部２８の一部を凹部に変えて、対応する第３の枠体１３の複数の凹部の一部を凸部に変えてもよい。また、第４の枠体１４の複数の凹部２９の一部を凸部に変えて、対応する第３の枠体１３の複数の凸部の一部を凹部に変えてもよい。
【００３８】
上記割りナット１のナットねじ切り部６と割りボルト１２のボルトねじ切り部１８とを螺合装着することで成立するボルトナット構造とすれば、壁（や台等）２４やそのパネルに設けた貫通穴形状や穴径、さらに壁（や台等）２４やそのパネルの厚みが異なっていても割りナット１と割りボルト１２とを螺合させることで、壁（や台等）２４やそのパネルに対して確実に固定することが可能となる。
【００３９】
次に配管保護方法について説明する。図１における壁（や台等）２４の穴２５に配管２６が通されている配管構造において、配管２６の両端から第３の枠体１３と第４の枠体１４とを嵌合させて穴２５に割りボルト１２を挿入し、割りボルト１２を挿入した壁（や台等）２４の反対面側で配管２６の両端から第１の枠体２と第２の枠体３とを嵌合させ、割りボルト１２を挿入したボルトねじ切り部１８に割りナット１のナットねじ切り部６を螺合装着させるボルトナット構造による配管保護方法とすれば、配管２６への割りボルト１２と割りナット１の取り付けや取り外しが容易にでき、壁（や台等）２４やそのパネルに設けた貫通穴形状や穴径、さらにそのパネルの厚みが異なっていても、割りナット１と割りボルト１２とを螺合させることで、壁（や台等）２４あるいはそのパネルに対して確実に固定することが可能となる。
【００４０】
さらに、割りボルト１２の第２の空洞部１９に配置した配管２６が、壁（や台等）２４に設けた穴２５の端面に直接触れることなく、穴２５から配管２６を保護することが可能となる。
【００４１】
このとき割りナット１は、第１の枠体２と第２の枠体３とが嵌合している状態で、嵌合部８は第２の枠体３の首嵌合溝１１に規制されることにより、第１の枠体２と第２の枠体３とが径方向に移動することを不可能としていることから、ナットねじ切り部６にボルトねじ切り部１８を螺合したときにもねじ締付け反力による割ナットの径方向への開きを防止することができる。
【００４２】
さらに、割りナット１と割りボルト１２は螺合した状態であり、割りボルト１２に設けた第１の頭部１５ａ、第２の１５ｂによって壁（や台等）２４に設けた穴２５を覆うことができ、穴２５の形状や大きさが多少異なったとしても、確実に壁（や台等）２４に固定することができる。さらに割りナット１と割りボルト１２は螺合した状態であり、壁（や台等）２４の厚みが多少異なったとしても確実に壁（や台等）２４に固定することができる。
【００４３】
また、割りボルト１２と割りナット１はともに分割構造になっており、配管２６の先端に例えば袋ナット２７のように配管２６よりも大きな形状の部品があっても、割りボルト１２の第２の空洞部１９は配管２６に合わせた直径寸法に設定、設計することが可能であり、割りボルト１２の第３のねじ切り部１６と第４のねじ切り部１７に螺合する割りナット１の第１のねじ切り部４と第２のねじ切り部５のねじ径を極力小さくすることも可能となり、壁（や台等）２４に設けた穴２５の穴径を極力小さくすることも可能となる。
【００４４】
図４は本発明の同実施の形態１における割りナットと割りボルトが使用された状態の一例を示す周辺図である。
【００４５】
一般家庭の台所を想定しており、流し台３０の上に食器洗浄機３１が配置されている。流し台３０には水栓３２から出てくる水などを受けるシンク３３が構成されており、シンク３３につながる排水管３４に分岐部３５が設けられ、食器洗浄機３１の排水ホース３６が流し台３０の穴を経由して分岐部３５に接続され、食器洗浄機３１の洗浄水を排水可能に構成されている。
【００４６】
このような流し台３０の穴に排水ホースが通され、その穴および排水ホース３６に上記で説明した割りナット１および割りボルト１２が取り付けられている。
【００４７】
なお、食器洗浄機３１の排水ホース３６ではなく、食器洗浄機３１の給水ホースを流し台３０の穴に通して、水栓３２と分岐して食器洗浄機３１に水を給水する構成としてもよい。
【００４８】
このような水廻りにおいて、本発明における割りナット及び割りボルト及びこれらを利用したボルトナット構造及び配管保護方法を利用すれば、上記のとおり相当の効果を得ることができる。
【産業上の利用可能性】
【００４９】
以上のように、本発明は割りナット及び割りボルト及びこれらを利用したボルトナット構造であり、壁や台の貫通穴への配管の保護方法として有用である。
【符号の説明】
【００５０】
１  割りナット
２  第１の枠体
３  第２の枠体
４  第１のねじ切り部
５  第２のねじ切り部
６  ナットねじ切り部
７  第１の空洞部
８  嵌合部
９  首部
１０  嵌合溝
１１  首嵌合溝
１１ｂ受け部
１２  割りボルト
１３  第３の枠体
１４  第４の枠体
１５ａ第１の頭部
１５ｂ第２の頭部
１６  第３のねじ切り部
１７  第４のねじ切り部
１８  ボルトねじ切り部
１９  第２の空洞部
２０  合致面
２１  庇部
２４  壁（台）
２５  穴
２６  配管
２７  袋ナット
２８  凸部
２９  凹部
３０  流し台
３１  食器洗浄機
３２  水栓
３３  シンク
３４  排水管
３５  分岐部
３６  排水ホース
【図１】
2020037953.tif 000003
【図２】
2020037953.tif 000004
【図３】
2020037953.tif 000005
【図４】
2020037953.tif 000006